(57)【要約】【課題】手間なく装着することができるとともに、作業者の正しい姿勢の保持及び背中や腰の負担を軽減することができる安全機能付きアシストスーツを提供する。【解決手段】安全機能付きアシストスーツ１００では、装着部材１は、作業者Ｈの背中における肩から腰にかけて配置される背中装着部１１と、背中装着部１１の上端部から作業者Ｈの左右の肩に沿って前方に延出された左右一対の肩装着部１２と、作業者Ｈの腰を囲繞するように配置されるとともに、背中装着部１１の下端部及び肩装着部１２の下端部が連結された腰装着部１３と、有し、背中装着部１１は、作業者Ｈが前屈姿勢をした際に、姿勢を起こす方向にアシストする弾性部材１１ａを有し、安全機能部材３は、腰装着部１３を作業者Ｈの腰に締め付ける腰ベルト部と、一端部側が装着部材１に連結されたランヤード部３１と、ランヤード部３１の他端部側に設けられたフック部と、を有することを特徴とする。【選択図】図１
2020014520.tif 000002
【特許請求の範囲】
【請求項１】
作業者の身体に装着可能とされた装着部材と、
該装着部材に設けられた安全機能部材と、と備え、
前記装着部材は、
前記作業者の背中における肩から腰にかけて配置される背中装着部と、
該背中装着部の上端部から前記作業者の左右の肩に沿って前方に延出された左右一対の肩装着部と、
前記作業者の腰を囲繞するように配置されるとともに、前記背中装着部の下端部及び前記肩装着部の下端部が連結された腰装着部と、有し、
前記背中装着部は、前記作業者が前屈姿勢をした際に、姿勢を起こす方向にアシストする弾性部材を有し、
前記安全機能部材は、
前記腰装着部を前記作業者の腰に締め付ける腰ベルト部と、
一端部側が前記装着部材に連結されたランヤード部と、
該ランヤード部の他端部側に設けられたフック部と、を有することを特徴とする安全機能付きアシストスーツ。
【請求項２】
前記腰装着部は、前記作業者の腰に沿って伸縮可能に構成されていることを特徴とする請求項１に記載の安全機能付きアシストスーツ。
【請求項３】
前記装着部材には、前記作業者の身体に向かって送風する送風部が設けられていることを特徴とする請求項１または２に記載の安全機能付きアシストスーツ。
【発明の詳細な説明】
【技術分野】
【０００１】
本発明は、安全機能付きアシストスーツに関するものである。
【背景技術】
【０００２】
従来から、体の姿勢を矯正したり、荷物の運搬や上げ下ろしの際の前屈動作をアシストしたりするアシストスーツが提案されている（例えば、下記の特許文献１参照）。
【０００３】
ところで、工事現場の作業者が高所で作業を行う際には、墜落制止のため、安全帯を装着している。例えば、安全帯は、ベルト部と、ベルト部に設けられたランヤード部と、ランヤード部の先端部に設けられフック部、とを備えた構成であり、作業時には、作業者はベルト部を腰等に装着して、フック部を支持物に係止させている。
【先行技術文献】
【特許文献】
【０００４】
【特許文献１】特開２０１８−１１６９３号公報
【発明の概要】
【発明が解決しようとする課題】
【０００５】
工事現場の作業者が、作業の負担や疲労の軽減のために、上記の特許文献１に記載のアシストスーツを着用する場合、高所での作業時にはその上に安全帯を装着しなければならず、装着しづらく、２度手間となってしまうため、作業までの準備に時間や手間がかかってしまうという問題点がある。
【０００６】
そこで、本発明は、上記事情に鑑みてなされたものであり、手間なく装着することができるとともに、作業者の正しい姿勢の保持及び背中や腰の負担を軽減することができる安全機能付きアシストスーツを提供する。
【課題を解決するための手段】
【０００７】
上記目的を達成するために、本発明は以下の手段を採用している。
すなわち、本発明に係る安全機能付きアシストスーツは、作業者の身体に装着可能とされた装着部材と、該装着部材に設けられた安全機能部材と、と備え、前記装着部材は、前記作業者の背中における肩から腰にかけて配置される背中装着部と、該背中装着部の上端部から前記作業者の左右の肩に沿って前方に延出された左右一対の肩装着部と、前記作業者の腰を囲繞するように配置されるとともに、前記背中装着部の下端部及び前記肩装着部の下端部が連結された腰装着部と、有し、前記背中装着部は、前記作業者が前屈姿勢をした際に、姿勢を起こす方向にアシストする弾性部材を有し、前記安全機能部材は、前記腰装着部を前記作業者の腰に締め付ける腰ベルト部と、一端部側が前記装着部材に連結されたランヤード部と、該ランヤード部の他端部側に設けられたフック部と、を有することを特徴とする。
【０００８】
このように構成された安全機能付きアシストスーツでは、背中装着部、左右一対の肩装着部及び腰装着部が作業者の身体に沿って配置されて、装着部材が作業者に装着される。装着部材には安全機能部材が設けられているため、装着部材を装着すれば安全機能部材もともに装着される。よって、装着部材及び安全機能部材を同時に、手間なく装着することができる。
また、作業者が前屈姿勢をした際には、背中装着部の弾性部材により、作業者は姿勢を起こす方向にアシストされるため、作業者の姿勢が正しく保持されるとともに背中や腰の負担が軽減される。
また、高所での作業時には、腰ベルト部で作業者の腰に腰装着部を締め付けて、装着部材に連結されたランヤード部に設けられたフック部を所定の箇所に係止させて作業することができるため、作業者の安全性を確保することができる。
【０００９】
また、本発明に係る安全機能付きアシストスーツでは、前記腰装着部は、前記作業者の腰に沿って伸縮可能に構成されていることが好ましい。
【００１０】
このように構成された安全機能付きアシストスーツでは、腰装着部は作業者の腰に沿って伸縮可能であるため、作業者の腰に腰装着部を締め付けることで、腰への負担が軽減される。
【００１１】
また、本発明に係る安全機能付きアシストスーツは、前記装着部材には、前記作業者の身体に向かって送風する送風部が設けられていてもよい。
【００１２】
このように構成された安全機能付きアシストスーツでは、装着部材に設けられた送風部が作業者の身体に向かって送風するため、作業者は快適な環境で作業をすることができる。
【発明の効果】
【００１３】
本発明に係る安全機能付きアシストスーツによれば、手間なく装着することができるとともに、作業者の正しい姿勢の保持及び背中や腰の負担を軽減することができる。
【図面の簡単な説明】
【００１４】
【図１】本発明の一実施形態に係る安全機能付きアシストスーツを装着した作業者を後方から見た図である。
【図２】本発明の一実施形態に係る安全機能付きアシストスーツを装着した作業者を前方から見た図である。
【図３】本発明の一実施形態に係る安全機能付きアシストスーツの肩装着部及びその近傍の構成を示す模式図である。
【発明を実施するための形態】
【００１５】
本発明の一実施形態に係る安全機能付きアシストスーツについて、図面を用いて説明する。
図１は、本発明の一実施形態に係る安全機能付きアシストスーツを装着した作業者を後方から見た図である。図２は、本発明の一実施形態に係る安全機能付きアシストスーツを装着した作業者を前方から見た図である。
図１及び図２に示すように、本実施形態に係る安全機能付きアシストスーツ（以下、単にアシストスーツと称する）１００は、装着部材１と、安全機能部材３と、を備えている。
なお、以下の説明において、「上」、「下」、「前」、「後」、「左」、「右」の表記は、特に説明の無い限り、アシストスーツ１００を装着した作業者Ｈにとっての「上」、「下」、「前」、「後」、「左」、「右」を意味するものとする。
【００１６】
装着部材１は、作業者Ｈの身体に装着可能とされている。装着部材１は、背中装着部１１と、左右一対の肩装着部１２と、腰装着部１３と、有している。例えば、装着部材１は、所定の柔軟性及び伸縮性を有する布地等で構成されている。
【００１７】
背中装着部１１は、作業者Ｈの背中における肩から腰にかけて配置されている。背中装着部１１は、背中の上方から下方に向かうにしたがって次第に左右方向の幅が広くなるように形成されている。
【００１８】
背中装着部１１は、作業者Ｈが前屈姿勢をした際に、姿勢を起こす方向にアシストする弾性部材１１ａを有している。弾性部材１１ａは、曲げられると元に戻ろうとする弾性力を有する部材で構成されている。
【００１９】
弾性部材１１ａは、上端部が背中装着部１１の上部に固定され、下端部が腰装着部１３に固定されている。弾性部材１１ａの下部は、上下方向に長い貫通孔１１ｂが形成されている。これにより、弾性部材１１ａが、腰回りの回転に対応しやすくなっている。
【００２０】
左右の肩装着部１２は、背中装着部１１の上端部からそれぞれ上方に延び、作業者Ｈの肩部の上端部で折り返されて、作業者Ｈの前側に延びている。
【００２１】
各肩装着部１２には、肩ベルト２２がそれぞれ設けられている。肩ベルト２２は、肩装着部１２の背中側（後側）から胸側（前側）にわたって延びている。肩ベルト２２の胸側の下端部は、腰装着部１３に連結されている。肩ベルト２２にはバックル２２ａが設けられ、肩ベルト２２の長さ調整が可能とされている。肩ベルト２２の胸側には、環状をなす環状部材２２ｂが設けられている。
【００２２】
図３は、肩装着部１２及び肩ベルト２２の構成を示す模式図であり、紙面右側は肩装着部１２に肩ベルト２２が固定される前の状態を示し、紙面左側は肩装着部等１２に肩ベルト２２が固定された状態を示している。
図３に示すように、肩装着部１２の幅方向の両側には、それぞれ面ファスナー２９が設けられている。肩ベルト２２は、肩装着部１２上（作業者Ｈの背中側と反対側）に配置されている。面ファスナー２９は、肩ベルト２２上（作業者Ｈの背中側と反対側）折り返されている。肩ベルト２２を肩装着部１２と面ファスナー２９との間で挟み込んだ状態で、面ファスナー２９の先端部どうしが止着されている。弾性部材１１ａ（図１参照）の上端部は、肩装着部１２の下端部に接続された背中装着部１１に固定されている。
【００２３】
左右の肩ベルト２２どうしは、胸ベルト２４で連結されている。胸ベルト２４は左右方向に延びている。胸ベルト２４にはバックル２４ａが設けられ、胸ベルト２４の長さ調整が可能とされている。
【００２４】
腰装着部１３は、作業者Ｈの腰を囲繞するように配置されている。背中装着部１１の下端部及び肩ベルト２２の胸側の下端部は、それぞれ腰装着部１３に連結されている。腰装着部１３は、作業者Ｈの腰に沿って伸縮可能に構成されている。
【００２５】
腰装着部１３の前側には、腰ベルト（腰ベルト部）２３が設けられている。腰ベルト２３は左右方向に延びている。腰ベルト２３にはバックル２３ａが設けられ、腰ベルト２３の長さ調整が可能とされている。
【００２６】
腰装着部１３の後側には、作業者Ｈ側に向かって送風する送風ファン（送風部）１３ａが設けられている。送風ファン１３ａは、左右両側に設けられている。
【００２７】
腰装着部１３には、左右一対の腿ベルト２５が設けられている。各腿ベルト２５は、管状に形成され、作業者Ｈの臀部から腿に沿って配置され、腿に巻かれている。腿ベルト２５にはバックル２５ａが設けられ、腿ベルト２５の長さ調整が可能とされている。
【００２８】
安全機能部材３は、装着部材１に連結されている。安全機能部材３は、左右一対のランヤード部３１と、フック部３２と、を有している。
【００２９】
各ランヤード部３１の一端部側は、環状をなす環状部材３１ａを介して、肩装着部１２の背中側（後側）に連結されている。
【００３０】
各ランヤード部３１の他端部には、フック部３２が設けられている。フック部３２は、開閉可能とされている。フック部３２は、不使用時には胸ベルト２４に設けられた環状部材２２ｂに係合され、使用時には、支持物に設けられたロープ等（不図示）に係合可能とされている。
【００３１】
このように構成されたアシストスーツ１００では、背中装着部１１、左右一対の肩装着部１２及び腰装着部１３が作業者Ｈの身体に沿って配置されて、装着部材１が作業者Ｈに装着される。装着部材１には安全機能部材３が設けられているため、装着部材１を装着すれば安全機能部材３もともに装着される。よって、装着部材１及び安全機能部材３を同時に、手間なく装着することができる。
【００３２】
また、作業者Ｈが前屈姿勢をした際には、背中装着部１１の弾性部材１１ａが曲げられ元に戻ろうとする弾性力により、作業者Ｈは姿勢を起こす方向にアシストされるため、作業者Ｈの姿勢が正しく保持されるとともに背中や腰の負担が軽減される。
【００３３】
また、腰装着部１３は作業者Ｈの腰に沿って伸縮可能であるため、作業者Ｈの腰に腰装着部１３を締め付けることで、腰への負担が軽減される。さらに、腰装着部１３の上から腰ベルト２３を締め付けることで、腰装着部１３の位置ずれ等が抑制される。
【００３４】
また、高所での作業時には、腰ベルト２３で作業者の腰に腰装着部１３を締め付けて、装着部材１に連結されたランヤード部３１に設けられたフック部３２を所定の箇所に係止させて作業することができるため、作業者Ｈの安全性を確保することができる。
【００３５】
また、万が一、高所での作業中に、作業者Ｈがランヤード部３１に吊り下げられたとしても、腰ベルト２３、胸ベルト２４及び腿ベルト２５が設けられているため、腰ベルト２３及び腿ベルト２５により腰装着部１３が作業者から抜け落ちることが抑制されるとともに、胸ベルト２４により肩装着部１２が作業者から抜け落ちることが抑制される。
【００３６】
また、腰装着部１３に設けられた送風ファンが作業者Ｈの身体に向かって送風するため、作業者Ｈは快適な環境で作業をすることができる。
【００３７】
なお、上述した実施の形態において示した各構成部材の諸形状や組み合わせ等は一例であって、本発明の主旨から逸脱しない範囲において設計要求等に基づき種々変更可能である。
【００３８】
例えば、上記に示す実施形態では、腰装着部１３の後面には送風ファン１３ａが設けられているが、本発明はこれに限られない。送風部は背中装着部１１等に設けられていてもよく、あるいは設けられていなくてもよい。
【００３９】
また、上記に示す実施形態では、腰装着部１３は、作業者Ｈの腰に沿って伸縮可能に構成されているが、本発明はこれに限られず、腰装着部１３は伸縮可能に構成されていなくてもよい。
【符号の説明】
【００４０】
１…装着部材
３…安全機能部材
１１…背中装着部
１１ａ…弾性部材
１２…肩装着部
１３…腰装着部
１３ａ…送風ファン（送風部）
２２…肩ベルト
２３…腰ベルト（腰ベルト部）
２４…胸ベルト
２５…腿ベルト
３１…ランヤード部
３２…フック部
１００…アシストスーツ（安全機能付きアシストスーツ）
Ｈ…作業者
【図１】
2020014520.tif 000003
【図２】
2020014520.tif 000004
【図３】
2020014520.tif 000005